(57)【要約】【課題】遊技店設備の初期投資費用を低減させることを課題とする。【解決手段】ＣＲユニット３０では、パチスロ機内ホッパ４１もしくは貸出機内ホッパ３６ａのいずれから貯メダルを払出すかが定められた『再プレイ払出元設定』に応じて貯メダルの払出し制御を行うことで、例えば「消費税対応」が実行される時点まで貸出機内ホッパ３６ａの使用を凍結すれば、導入当初に必要のない設備投資（例えば、「補給工事」の施工費用や「貯留メダル」の購入費用など）を実際に消費税対応が取られるまで猶予することができるようにしている。【選択図】        図２
2008229273.tif 000002
【特許請求の範囲】
【請求項１】
遊技機に通信可能に接続されるとともに、前記遊技機が遊技媒体の投出部として具備する遊技機内投出部とは別に貸出機内投出部を具備し、少なくとも遊技機内投出部を用いた遊技媒体の貸出し処理ならびに予め登録処理された遊技客によって預け入れられた貯遊技媒体の再貸出し処理を行う遊技媒体貸出装置であって、
前記貯遊技媒体の払出元が前記遊技機内投出部もしくは前記貸出機内投出部のいずれであるかを示す再貸出し払出元設定を記憶する再貸出し払出元設定記憶手段と、
前記再貸出し払出元設定記憶手段に記憶された再貸出し払出元設定が前記遊技機内投出部である場合には、前記遊技機に対して前記貯遊技媒体を払い出すように指示し、前記再貸出し払出元設定が前記貸出機内投出部である場合には、前記貸出機内投出部から貯遊技媒体を払い出すように制御する再貸出し処理手段と
を備えたことを特徴とする遊技媒体貸出装置。
【請求項２】
前記遊技媒体の貸出し処理は、消費税未徴収時の遊技媒体の貸出数から消費税相当の価値以下の遊技媒体数を減算して前記遊技媒体の貸出しを行う消費税徴収設定の有効可否に基づいて行われるものであって、
前記消費税徴収設定が有効である場合には、前記再貸出し払出元設定として前記貸出機内投出部を前記再貸出し払出元設定記憶手段に登録し、前記消費税徴収設定が有効でない場合には、前記再貸出し払出元設定として前記遊技機内投出部を前記再貸出し払出元設定記憶手段に登録する再貸出し払出元設定登録手段をさらに備えたことを特徴とする請求項１に記載の遊技媒体貸出装置。
【請求項３】
前記貸出機内投出部は、当該遊技媒体貸出装置の外部の遊技媒体補給機構と接続可能に構成されるものであって、
前記遊技媒体補給機構との接続を検知する接続検知手段と、
前記接続検知手段によって前記遊技媒体補給機構との接続が検知された場合には、前記再貸出し払出元設定として前記貸出機内投出部を前記再貸出し払出元設定記憶手段に登録し、前記遊技媒体補給機構との接続が検知されなかった場合には、前記再貸出し払出元設定として前記遊技機内投出部を前記再貸出し払出元設定記憶手段に登録する再貸出し払出元設定登録手段とをさらに備えた
ことを特徴とする請求項１に記載の遊技媒体貸出装置。
【請求項４】
通信可能に接続される遊技機が遊技媒体の投出部として具備する遊技機内投出部とは別に貸出機内投出部を具備し、少なくとも遊技機内投出部を用いた遊技媒体の貸出し処理ならびに予め登録処理された遊技客によって預け入れられた貯遊技媒体の再貸出し処理を行う遊技媒体貸出装置と、前記遊技客ごとの貯遊技媒体の数量を記憶管理する管理装置とからなる貯遊技媒体管理システムであって、
前記管理装置は、
前記貯遊技媒体の払出元が前記遊技機内投出部もしくは前記貸出機内投出部のいずれであるかを示す再貸出し払出元設定を記憶する第１の再貸出し払出元設定記憶手段と、
前記第１の再貸出し払出元設定記憶手段に記憶された再貸出し払出元設定を前記遊技媒体貸出装置に配信する設定配信手段とを備え、
前記遊技媒体貸出装置は、
前記設定配信手段によって配信された再貸出し払出元設定を記憶する第２の再貸出し払出元設定記憶手段と、
前記第２の再貸出し払出元設定記憶手段に記憶された再貸出し払出元設定が前記遊技機内投出部である場合には、前記遊技機に対して前記貯遊技媒体を払い出すように指示し、前記再貸出し払出元設定が前記貸出機内投出部である場合には、前記貸出機内投出部から貯遊技媒体を払い出すように制御する再貸出し処理手段とを備えた
ことを特徴とする貯遊技媒体管理システム。
【請求項５】
遊技機に通信可能に接続されるとともに、前記遊技機が遊技媒体の投出部として具備する遊技機内投出部とは別に貸出機内投出部を具備し、少なくとも遊技機内投出部を用いた遊技媒体の貸出し処理ならびに予め登録処理された遊技客によって預け入れられた貯遊技媒体の再貸出し処理を行う遊技媒体貸出装置に用いる遊技媒体貸出方法であって、
前記貯遊技媒体の払出元が前記遊技機内投出部もしくは前記貸出機内投出部のいずれであるかを示す再貸出し払出元設定を再貸出し払出元設定記憶手段に登録する再貸出し払出元設定記憶工程と、
前記再貸出し払出元設定記憶手段に記憶された再貸出し払出元設定が前記遊技機内投出部である場合には、前記遊技機に対して前記貯遊技媒体を払い出すように指示し、前記再貸出し払出元設定が前記貸出機内投出部である場合には、前記貸出機内投出部から貯遊技媒体を払い出すように制御する再貸出し処理工程と
を含んだことを特徴とする遊技媒体貸出方法。
【発明の詳細な説明】
【技術分野】
【０００１】
本発明は、遊技機に通信可能に接続されるとともに、遊技機が遊技媒体の投出部として具備する遊技機内投出部とは別に貸出機内投出部を具備し、少なくとも遊技機内投出部を用いた遊技媒体の貸出し処理ならびに予め登録処理された遊技客によって預け入れられた貯遊技媒体の再貸出し処理を行う遊技媒体貸出装置、貯遊技媒体管理システム及び遊技媒体貸出方法に関する。
【背景技術】
【０００２】
現在、例えばパチンコ店やパチスロ店などの遊技店においては、パチンコ玉やメダルなどの遊技媒体を用いた遊技に係る消費税を遊技店が営業利益の中から負担するのが一般的である。しかし、将来的に消費税率が上昇すると、遊技店の負担が大きくなることから、遊技客が自らの遊技に係る消費税を負担するようになると考えられる。
【０００３】
このとき、遊技店内で流通する貨幣の金種が限定されていることなどから、例えば特許文献１に記載されているカード処理ユニット（以下、「ＣＲユニット」と称す）ように、遊技媒体の貸し出し時に貸し出される遊技媒体数を調整して遊技客から消費税を徴収するのが現実的である。例えば、現在１０００円でパチスロに用いられるメダルが５０枚貸し出されるところを、１０００円で４９枚貸し出されるようにすることにより、メダルの税込単価を２０円から２０．４（≒１０００／４９）円にすることが考えられる。このような消費税対応を行うことにより、遊技店では消費税の負担分の一部を遊技客から徴収することができ、営業利益の減少を抑制することができる。
【０００４】
より具体的には、ＣＲ遊技機及びＣＲユニット間のインターフェースでは、ＣＲユニットからの１度のメダル貸し指示に対して一定個数の投出を行うように規定されており、ＣＲ遊技機では一定個数未満の貸メダルの払出しを行うことができないので、かかる消費税対応を行う場合には、全貸出数のうちＣＲ遊技機にて払出し可能な数量分についてはＣＲ遊技機に投出させ、ＣＲ遊技機にて払出し不能な端数についてはＣＲユニットから投出させる。例えば、１度に貸し出される貸出金額を「１０００円」とした時には、ＣＲパチスロ機では１度数分に対応する「５枚」単位でしか貸メダルの払出しを行うことができないので、全貸玉数「４９枚」のうち、ＣＲパチスロ機に規定単位「５枚」の倍数である「４５枚」を投出させる一方で、かかる規定に拘束されないＣＲユニットからは残りの「４枚」を投出させることになる。
【０００５】
また、このＣＲユニットは、予め登録処理された遊技客（会員）によって預け入れられたパチンコ玉／メダルを貯玉残高／貯メダル残高として記憶管理する管理装置（ターミナル・コントローラ：会員管理Ｔ／Ｃ）に接続されており、かかる会員管理Ｔ／Ｃと協働して、会員管理Ｔ／Ｃにて記憶管理される貯玉残高／貯メダル残高の引落し処理（再プレイ）を行っている。具体的には、ＣＲユニットにて貯玉残高／貯メダル残高の引落し操作（再プレイ操作）を受け付けると、会員管理Ｔ／Ｃに記憶される貯玉残高／貯メダル残高の減算を行ってからその減算分の遊技媒体をＣＲユニット本体の投出部から投出する。
【０００６】
このように、ＣＲユニット本体から再プレイ分の遊技媒体を投出するのは、ＣＲ遊技機のようにインターフェースの規定に拘束されず、再プレイ分のパチンコ玉／メダルの投出数を柔軟に調節できるからである。
【０００７】
【特許文献１】特開２００６−１５８６３５号公報
【発明の開示】
【発明が解決しようとする課題】
【０００８】
しかしながら、上記した従来技術（特許文献１）が遊技店にて導入されたとしても、導入当初に消費税対応が取られるとは限らず、かかる消費税対応が取られなければ、ＣＲ遊技機にて払出し不能な端数は生じず、ＣＲユニットからは遊技媒体の払出しを行う必要がない。
【０００９】
それにもかかわらず、かかるＣＲユニットにて再プレイサービスを提供しようとすれば、再プレイ分の遊技媒体を払い出すためだけに、遊技店内の各ＣＲユニットの背面に遊技媒体を補給するための補給機構を設け、その補給機構とＣＲユニットの投出部を連結する「補給工事」を導入当初に行わなければならないという問題点がある。特に、パチスロコーナーの補給工事を行ってないホールは多く、初期投資費用を抑えるために必要に迫られるまで（実際に消費税対応が取られるまで）補給工事を行いたくないというホールも少なくない。
【００１０】
さらに、かかる「補給工事」の施工可否にかかわらず、ＣＲユニット本体の投出部からメダル投出を行う場合には、ＣＲ遊技機の投出部に加えてＣＲユニットの投出部にてもメダルを貯留させる必要があり、その貯留分のメダルをＣＲユニットの導入当初に購入せねばならず、初期投資費用がさらに嵩んでしまうという問題がある。
【００１１】
以上のことから、いかにして導入当初に必要のない設備投資を実際に消費税対応が取られるまで猶予し、遊技店設備の初期投資費用を低減させるかが極めて重要な課題となっている。
【００１２】
そこで、本発明は、上述した従来技術による課題（問題点）を解消するためになされたものであり、導入当初に必要のない設備投資を実際に消費税対応が取られるまで猶予し、もって遊技店設備の初期投資費用を低減させることができる遊技媒体貸出装置、貯遊技媒体管理システム及び遊技媒体貸出方法を提供することを目的とする。
【課題を解決するための手段】
【００１３】
上述した課題を解決し、目的を達成するために、請求項１の発明に係る遊技媒体貸出装置は、遊技機に通信可能に接続されるとともに、前記遊技機が遊技媒体の投出部として具備する遊技機内投出部とは別に貸出機内投出部を具備し、少なくとも遊技機内投出部を用いた遊技媒体の貸出し処理ならびに予め登録処理された遊技客によって預け入れられた貯遊技媒体の再貸出し処理を行う遊技媒体貸出装置であって、前記貯遊技媒体の払出元が前記遊技機内投出部もしくは前記貸出機内投出部のいずれであるかを示す再貸出し払出元設定を記憶する再貸出し払出元設定記憶手段と、前記再貸出し払出元設定記憶手段に記憶された再貸出し払出元設定が前記遊技機内投出部である場合には、前記遊技機に対して前記貯遊技媒体を払い出すように指示し、前記再貸出し払出元設定が前記貸出機内投出部である場合には、前記貸出機内投出部から貯遊技媒体を払い出すように制御する再貸出し処理手段とを備えたことを特徴とする。
【００１４】
また、請求項２の発明に係る遊技媒体貸出装置は、上記の発明において、前記遊技媒体の貸出し処理は、消費税未徴収時の遊技媒体の貸出数から消費税相当の価値以下の遊技媒体数を減算して前記遊技媒体の貸出しを行う消費税徴収設定の有効可否に基づいて行われるものであって、前記消費税徴収設定が有効である場合には、前記再貸出し払出元設定として前記貸出機内投出部を前記再貸出し払出元設定記憶手段に登録し、前記消費税徴収設定が有効でない場合には、前記再貸出し払出元設定として前記遊技機内投出部を前記再貸出し払出元設定記憶手段に登録する再貸出し払出元設定登録手段をさらに備えたことを特徴とする。
【００１５】
また、請求項３の発明に係る遊技媒体貸出装置は、上記の発明において、前記貸出機内投出部は、当該遊技媒体貸出装置の外部の遊技媒体補給機構と接続可能に構成されるものであって、前記遊技媒体補給機構との接続を検知する接続検知手段と、前記接続検知手段によって前記遊技媒体補給機構との接続が検知された場合には、前記再貸出し払出元設定として前記貸出機内投出部を前記再貸出し払出元設定記憶手段に登録し、前記遊技媒体補給機構との接続が検知されなかった場合には、前記再貸出し払出元設定として前記遊技機内投出部を前記再貸出し払出元設定記憶手段に登録する再貸出し払出元設定登録手段とをさらに備えたことを特徴とする。
【００１６】
また、請求項４の発明に係る貯遊技媒体管理システムは、通信可能に接続される遊技機が遊技媒体の投出部として具備する遊技機内投出部とは別に貸出機内投出部を具備し、少なくとも遊技機内投出部を用いた遊技媒体の貸出し処理ならびに予め登録処理された遊技客によって預け入れられた貯遊技媒体の再貸出し処理を行う遊技媒体貸出装置と、前記遊技客ごとの貯遊技媒体の数量を記憶管理する管理装置とからなる貯遊技媒体管理システムであって、前記管理装置は、前記貯遊技媒体の払出元が前記遊技機内投出部もしくは前記貸出機内投出部のいずれであるかを示す再貸出し払出元設定を記憶する第１の再貸出し払出元設定記憶手段と、前記第１の再貸出し払出元設定記憶手段に記憶された再貸出し払出元設定を前記遊技媒体貸出装置に配信する設定配信手段とを備え、前記遊技媒体貸出装置は、前記設定配信手段によって配信された再貸出し払出元設定を記憶する第２の再貸出し払出元設定記憶手段と、前記第２の再貸出し払出元設定記憶手段に記憶された再貸出し払出元設定が前記遊技機内投出部である場合には、前記遊技機に対して前記貯遊技媒体を払い出すように指示し、前記再貸出し払出元設定が前記貸出機内投出部である場合には、前記貸出機内投出部から貯遊技媒体を払い出すように制御する再貸出し処理手段とを備えたことを特徴とする。
【００１７】
また、請求項５の発明に係る遊技媒体貸出方法は、遊技機に通信可能に接続されるとともに、前記遊技機が遊技媒体の投出部として具備する遊技機内投出部とは別に貸出機内投出部を具備し、少なくとも遊技機内投出部を用いた遊技媒体の貸出し処理ならびに予め登録処理された遊技客によって預け入れられた貯遊技媒体の再貸出し処理を行う遊技媒体貸出装置に用いる遊技媒体貸出方法であって、前記貯遊技媒体の払出元が前記遊技機内投出部もしくは前記貸出機内投出部のいずれであるかを示す再貸出し払出元設定を再貸出し払出元設定記憶手段に登録する再貸出し払出元設定記憶工程と、前記再貸出し払出元設定記憶手段に記憶された再貸出し払出元設定が前記遊技機内投出部である場合には、前記遊技機に対して前記貯遊技媒体を払い出すように指示し、前記再貸出し払出元設定が前記貸出機内投出部である場合には、前記貸出機内投出部から貯遊技媒体を払い出すように制御する再貸出し処理工程とを含んだことを特徴とする遊技媒体貸出方法。
【発明の効果】
【００１８】
本発明によれば、貯遊技媒体の払出元が遊技機内投出部もしくは貸出機内投出部のいずれであるかを示す再貸出し払出元設定を記憶し、記憶した再貸出し払出元設定が遊技機内投出部である場合には、遊技機に対して貯遊技媒体を払い出すように指示し、再貸出し払出元設定が貸出機内投出部である場合には、貸出機内投出部から貯遊技媒体を払い出すように制御することとしたので、例えば「消費税対応」が実行される時点まで貸出機内投出部の使用を凍結すれば、導入当初に必要のない設備投資（例えば、「補給工事」の施工費用や「貯留遊技媒体」の購入費用など）を実際に消費税対応が取られるまで猶予することができ、遊技店設備の初期投資費用を低減させることが可能な遊技媒体貸出装置及び遊技媒体貸出方法が得られるという効果を奏する。
【００１９】
また、本発明によれば、消費税徴収設定が有効である場合には、再貸出し払出元設定として貸出機内投出部を登録し、消費税徴収設定が有効でない場合には、再貸出し払出元設定として遊技機内投出部を登録することとしたので、遊技媒体貸出装置にて「補給工事」が施工済みか、或いは遊技店にて貸出機内投出部分の「貯留遊技媒体」が準備済みであるのかを正確に予測して『再貸出し払出元設定』を行うことができ、『再貸出し払出元設定』の登録（更新）を効果的に支援することが可能な遊技媒体貸出装置が得られるという効果を奏する。
【００２０】
また、本発明によれば、遊技媒体補給機構との接続を検知し、遊技媒体補給機構との接続を検知した場合には、再貸出し払出元設定として貸出機内投出部を登録し、遊技媒体補給機構との接続を検知しなかった場合には、再貸出し払出元設定として遊技機内投出部を登録することとしたので、遊技媒体貸出装置にて「補給工事」が施工済みか、或いは遊技店にて貸出機内投出部分の「貯留遊技媒体」が準備済みであるのかを正確に予測して『再貸出し払出元設定』を行うことができ、『再貸出し払出元設定』の登録（更新）を効果的に支援することが可能な遊技媒体貸出装置が得られるという効果を奏する。
【００２１】
また、本発明によれば、管理装置が、貯遊技媒体の払出元が遊技機内投出部もしくは貸出機内投出部のいずれであるかを示す再貸出し払出元設定を記憶し、記憶した再貸出し払出元設定を遊技媒体貸出装置に配信し、遊技媒体貸出装置が、配信された再貸出し払出元設定を記憶し、記憶した再貸出し払出元設定が遊技機内投出部である場合には、遊技機に対して貯遊技媒体を払い出すように指示し、再貸出し払出元設定が貸出機内投出部である場合には、貸出機内投出部から貯遊技媒体を払い出すように制御することとしたので、例えば「消費税対応」が実行される時点まで貸出機内投出部の使用を凍結すれば、導入当初に必要のない設備投資（例えば、「補給工事」の施工費用や「貯留遊技媒体」の購入費用など）を実際に消費税対応が取られるまで猶予することができ、遊技店設備の初期投資費用を低減させることが可能な貯遊技媒体管理システムが得られるという効果を奏する。
【発明を実施するための最良の形態】
【００２２】
以下の添付図面を参照して、本発明に係る遊技媒体貸出装置（遊技媒体貸出方法）及び貯遊技媒体管理システムの好適な実施例を詳細に説明する。なお、以下では、本発明に係る遊技媒体貸出装置を実施例１として説明した後に、本発明に含まれる他の実施例を実施例２として説明する。
【実施例１】
【００２３】
以下の実施例１では、遊技用記録媒体（プリペイドカード）に価値付けられた有価価値に基づいて遊技媒体の貸出し処理を行うカード処理ユニット（以下、「ＣＲユニット」と言う）を遊技媒体貸出装置として例示し、このＣＲユニットの概要および特徴、ＣＲユニットの構成および処理の流れを順に説明する。なお、本実施例では、本発明をパチスロ遊技を対象とする遊技システムに適用する例を説明するが、パチンコ遊技を対象としてさらに含めた遊技システム又はパチンコ遊技のみを対象とする遊技システムにも本発明を同様に適用することができる。
【００２４】
［概要および特徴］
まず最初に、図１及び図２を用いて、実施例１に係るＣＲユニットを含む遊技システムのシステム構成を説明し、この遊技システムにおけるＣＲユニットの位置付けを明確にしてから、実施例１に係るＣＲユニットの概要および特徴を説明する。図１は、実施例１に係る遊技システムのシステム構成を示すシステム構成図であり、また、図２は、実施例１に係るＣＲユニットの特徴を説明するための概念図である。
【００２５】
図１に示すように、遊技店内に設置される遊技システム１は、予め登録処理された遊技客（会員）によって預け入れられた貯メダル数を「貯メダル残高」として管理するための管理装置（以下、『会員管理Ｔ／Ｃ』と称す）１０及びプリペイドカードに価値付けられた度数の残数を管理するための管理装置（以下、『プリペイドカード管理Ｔ／Ｃ』と称す）７０を頂点にして、「島」と呼ばれるグループごとに設けられた島コントローラ２０及びカード発行機６０が接続された構成となる。さらに、島コントローラ２０には、各島に設置された複数のＣＲパチスロ機４０それぞれに併設されたＣＲユニット３０が接続されている。
【００２６】
この遊技システム１では、従来から用いられている会員カードＭＣ（会員登録を行った遊技者（会員）に対して遊技店から発行され、発行店の識別情報や会員コードなどの会員識別情報が記憶される）や、プリペイドカードＰＣ（カード発行機により遊技者に対して発行され、発行店の識別情報、カード固有の識別コード、発行額、カード種別などが記録される）を記録媒体として用いることができる。
【００２７】
ＣＲユニット３０は、プリペイドカードＰＣや会員カードＭＣなどの記録媒体に価値付けられた度数の残数（以下、残度数という）を上限とするメダルの貸出し処理を主機能とする他、会員カードＭＣに関連付けられた貯メダル残高の範囲内で獲得メダルの再貸出し処理を行う再プレイ機能を有するものであり、遊技店に設置された複数のＣＲパチスロ機４０それぞれに対して１台ずつペアとなるように用意され、ＣＲパチスロ機４０の相互間に挟まれる形で設置されており、これら両者は、「現金機」であるパチスロ機とは相違し、相互に通信可能なようにインターフェース接続されている。
【００２８】
さらに、このＣＲユニット３０には、貸出数を調節する消費税対応実行時において、ＣＲパチスロ機４０のパチスロ機内ホッパ４１にて投出不能な端数をＣＲユニット３０側から払出すことができるように、１枚ずつのメダルの投出が可能な１個切りの投出部（後述する「貸出機内ホッパ３６ａ」及び「ホッパ駆動部３６ｂ」）が設けられている。
【００２９】
ＣＲパチスロ機４０は、遊技客による遊技操作に応答して、入賞役の抽選、リール駆動、リール停止制御及び賞メダルの供与制御を行うパチスロ機であるが、本実施例１のように、「ＣＲ機」であるＣＲパチスロ機４０では、賞メダルの供与制御に加えて貸メダルの供与制御を行う。なお、ここで言う「供与制御」とは、遊技客に物理的または電子的にメダルを供与するための制御を指し、例えば、パチスロ機内ホッパ４１からのメダル投出制御やクレジットへのクレジット加算制御などを指す。また、「クレジット」とは、メダルの投入や入賞によるメダルの払出しが生じた場合に通常５０枚を上限としてパチスロ機内部にてその払出し枚数を記憶する機構であり、その枚数分のメダルを預かるとともに、当該枚数分のメダルの投出を保証しており、遊技投資操作を受け付けるＢＥＴ操作によって人手によるメダル投入と同様の機能を果たさせる機能を有する。
【００３０】
また、ＣＲパチスロ機４０には、遊技客による貸出要求を受け付けるための貸出操作装置５０（図示せず）が付設されており、この貸出操作装置５０では、遊技客による貸出ボタン５０２（図６参照）の押下を通じてメダル貸し操作を受け付けている。
【００３１】
カード発行機６０は、現金が入金された場合に、該入金金額に応じた有価価値（度数）が価値付けられるプリペイドカードＰＣの発行処理並びにプリペイドカードＰＣに価値付けられた度数に対する加算処理を主機能とするものである。
【００３２】
会員管理Ｔ／Ｃ１０は、遊技店に少なくとも１台設置してあり、設置した遊技店の統括管理、例えば会員の管理（例えば、住所、氏名の他、遊技店ポイントや貯メダル残高など）をおこなうとともに、プリペイドカードＰＣ並びに会員カードＭＣの有価価値に関する情報を記憶管理する部分である。但し、本実施例１では、プリペイドカードＰＣに関する機能については既存のものと同一であるので説明を省略する。なお、本実施例１では、カードに記録した記録データを改ざんするなどの不正行為を防止する観点から、会員カードＭＣには、具体的な会員情報の中身を記録せず、会員カードＭＣの識別情報（会員ＩＤ）のみを記録する構成を採用することとする。
【００３３】
プリペイドカード管理Ｔ／Ｃ７０は、プリペイドカードの識別情報（プリペイドカードＩＤ）及びこのプリペイドカードの残度数を記憶管理する装置である。例えば、ＣＲユニット３０にて高額紙幣が挿入された場合には、ＣＲユニット３０から発行対象となる内蔵カードのプリペイドカードＩＤとともに挿入紙幣の金額を受け付け、当該プリペイドカードＩＤに挿入紙幣分の金額を価値付けた後、ＣＲユニット３０に「価値付け完了通知」を返信する。なお、本実施例では、会員カードＭＣと同様、カードに記録した記録データを改ざんするなどの不正行為を防止する観点から、プリペイドカードには「度数」を記録せず、プリペイドカードＩＤのみを記録する構成を採用することとする。
【００３４】
ここで、かかる遊技システム１において、本実施例１に係るＣＲユニット３０は、ＣＲパチスロ機４０が具備するパチスロ機内ホッパ４１とは別に貸出機内ホッパ３６ａを具備し、少なくともパチスロ機内ホッパ４１を用いたメダルの貸出し処理ならびに予め登録処理された遊技客（会員）によって預け入れられた貯メダルの再プレイ処理を行うことを概要とし、導入当初に必要のない設備投資を実際に消費税対応が取られるまで猶予し、もって遊技店設備の初期投資費用を低減させることを特徴とする。
【００３５】
すなわち、実施例１に係るＣＲユニット３０では、先行技術に挙げたＣＲユニットと同様に、会員管理Ｔ／Ｃ１０にて記憶管理された貯メダル残高に基づいて貯メダルの払出し制御を行うが、ＣＲユニット３０の導入当初より貸出機内ホッパ３６ａから画一的に投出させることはしない。つまり、パチスロ機内ホッパ４１もしくは貸出機内ホッパ３６ａのいずれから貯メダルを払出すかが定められた『再プレイ払出元設定』に応じて貯メダルの払出し制御を行う。
【００３６】
例えば、図２に示すように、前述した貸出数を調節する「消費税対応」を実行している場合には、貸出機内ホッパ３６ａを『再プレイ払出元設定』とし、後述するホッパ駆動部３６ｂ（図７参照）を駆動させて貸出機内ホッパ３６ａから貯メダルを投出させ、また、「消費税対応」を実行していない場合には、パチスロ機内ホッパ４１を『再プレイ払出元設定』とし、ＣＲパチスロ機４０に対してメダル投出指示を行い、パチスロ機内ホッパ４１から貯メダルを投出させる。
【００３７】
このような『再プレイ払出元設定』に基づいて貯メダルの払出し制御を行えば、ＣＲユニット３０の導入当初にはパチスロ機内ホッパ４１から貯メダルを払い出させ、「消費税対応」が実行される時点になって始めて貸出機内ホッパ３６ａから貯メダルを払い出させることができ、導入当初に必要のない設備投資、例えば遊技店内の各ＣＲユニット３０の背面にメダルを補給するための補給機構を設け、その補給機構と貸出機内ホッパ３６ａを連結する「補給工事」の施工費用及び貸出機内ホッパ３６ａに対する「貯留メダル」の購入費用を実際に消費税対応が取られるまで猶予することができる。
【００３８】
したがって、上記した従来技術の例で言えば、ＣＲユニット３０の導入当初より貸出機内ホッパ３６ａから貯メダルを画一的に投出させることで、導入当初に必要のない設備投資をかさませるのではなく、パチスロ機内ホッパ４１もしくは貸出機内ホッパ３６ａのいずれから貯メダルを払出すかが定められた『再プレイ払出元設定』に応じて貯メダルの払出し制御を行うことで、例えば「消費税対応」が実行される時点まで貸出機内ホッパ３６ａの使用を凍結すれば、導入当初に必要のない設備投資（例えば、「補給工事」の施工費用や「貯留メダル」の購入費用など）を実際に消費税対応が取られるまで猶予することができ、上記した主たる特徴のように、遊技店設備の初期投資費用を低減させることが可能になる。
【００３９】
［ＣＲユニットとその関連装置の構成］
続いて、実施例１に係るＣＲユニット３０の構成及び機能を説明するが、本発明の特徴が貯メダルの払出し制御にあるので、このＣＲユニット３０とともに貯メダル管理システムを構成する会員管理Ｔ／Ｃ１０についてＣＲユニット３０と密接に関連する構成及び機能を説明してから、本実施例１に係るＣＲユニット３０の構成及び機能を説明することとする。
【００４０】
（１）会員管理Ｔ／Ｃの構成
前述したように、ここでは、本実施例１に係る会員管理Ｔ／Ｃ１０の構成及び機能を説明する。図３は、実施例１に係る会員管理Ｔ／Ｃ１０の構成を示す機能ブロック図である。同図に示すように、この会員管理Ｔ／Ｃ１０は、入力部１１と、出力部１２と、通信制御ＩＦ部１３と、記憶部１４と、制御部１５とを備える。
【００４１】
このうち、入力部１１は、各種の情報を入力するキーボード、マウスおよびトラックボールなどの指示入力手段であり、例えば、貯メダルサービスなどの各種会員サービスを希望する遊技客から取得した会員情報（例えば、会員となる遊技客の氏名、住所およびメールアドレスなどの属性情報）の登録や、記憶部１４に記憶される情報（後述する貯メダル管理情報１４ａ、消費税徴収設定情報１４ｂや再プレイ払出元設定情報１４ｃなど）の閲覧要求などを受け付ける。
【００４２】
表示部１２は、各種の情報を出力するモニタなどの出力表示手段であり、例えば、記憶部１４にて記憶管理された情報（例えば、会員の属性情報、貯メダル残高、消費税徴収設定や再プレイ払出元設定の設定内容など）を表示したりする。
【００４３】
通信制御ＩＦ部１３は、各種装置（例えば、島コントローラ２０、ＣＲユニット３０、カード発行機６０及びプリペイドカード管理Ｔ／Ｃ７０）との間で各種通信の制御を行う処理部である。なお、ここでは図示していないが、遊技客が獲得した獲得メダルを計数する計数機や遊技客によって獲得された獲得メダルと所望の景品の交換を管理する景品管理装置などとも接続されている。
【００４４】
記憶部１４は、制御部１５による各種処理に必要なデータおよびプログラムを格納する格納手段（記憶手段）であり、本発明に関連するものとしては、貯メダル管理情報１４ａ、消費税徴収設定情報１４ｂ及び再プレイ払出元設定情報１４ｃを記憶している。
【００４５】
より具体的には、記憶部１４は、これらのうち貯メダル管理情報１４ａとして、会員ＩＤ及び貯メダル残高を対応付けて記憶している。例えば、図４に示すように、会員ＩＤ「０００１」及び貯メダル残高「４００（枚）」、会員ＩＤ「０００２」及び貯メダル残高「２４５０（枚）」、会員ＩＤ「０００３」及び貯メダル残高「３２９３（枚）」、会員ＩＤ「０００４」及び貯メダル残高「８６２２（枚）」、会員ＩＤ「・・・」及び貯メダル残高「・・・（枚）」を記憶している。
【００４６】
また、記憶部１４は、消費税徴収設定情報１４ｂとして、消費税の徴収比率及び消費税徴収設定の有効可否を対応付けて記憶している。例えば、図５に示すように、全貸出メダル数「５０（枚）」、徴収メダル「１（枚）」及び有効可否「○」を対応付けて記憶している。また、記憶部１４は、再プレイ払出元設定情報１４ｃとして、貯メダルの払出元の所在情報（すなわち、パチスロ機内ホッパ４１または貸出機内ホッパ３６ａのいずれであるかを示す情報）を記憶している。なお、本実施例１では、記憶部１４にてすべてのＣＲユニットで共通の「消費税徴収設定」及び『再プレイ払出元設定』を記憶する例を説明しているが、島単位または個別に異なる「消費税徴収設定」及び『再プレイ払出元設定』を記憶するようにしてもかまわない。
【００４７】
制御部１５は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、貯メダル管理部１５ａと、再プレイ払出元設定登録部１５ｂと、設定配信部１５ｃとを備える。
【００４８】
このうち、貯メダル管理部１５ａは、記憶部１４によって記憶された貯メダル管理情報１４ａに対する更新処理（加算処理または減算処理）を行う処理部である。例えば、ＣＲユニット３０（或いは図示しない景品管理装置）から会員ＩＤを含む貯メダル残高の減算依頼を受け付けた場合には、貯メダル管理情報１４ａのうち該当する会員ＩＤの貯メダル残高を減算し、正常に減算処理を行うことができたならば（例えば、残高不足などによる減算エラーがなければ）依頼元の装置に対して減算完了応答を行う。また、図示しない計数機または景品管理装置などの貯メダルの取扱い端末から会員ＩＤを含む貯メダル残高の加算依頼を受け付けた場合には、貯メダル管理情報１４ａのうち該当する会員ＩＤの貯メダル残高を依頼枚数分について加算し、依頼元の装置に対して加算完了応答を行う。
【００４９】
再プレイ払出元設定登録部１５ｂは、記憶部１４に記憶される再プレイ払出元設定情報１４ｃの登録を行う処理部である。具体的には、パチスロ機内ホッパ４１または貸出機内ホッパ３６ａのいずれから貯メダルを払出すかを『再プレイ払出元設定』として記憶部１４に登録する。
【００５０】
ここで、再プレイ払出元設定登録部１５ｂでは、「消費税対応」が実行されていない時には、貸出機内ホッパ３６ａからは貸メダルしは払い出されない状況となるので、貸メダル及び貯メダルの払出しをパチスロ機内ホッパ４１に集約する観点から、記憶部１４に記憶される消費税徴収設定情報１４ｂを参照して、「消費税徴収設定」が有効でない場合（すなわち、「消費税対応」が取られていない場合）には、『再プレイ払出元設定』としてパチスロ機内ホッパ４１を登録（設定）し、一方、「消費税徴収設定」が有効である場合（すなわち、「消費税対応」が取られている場合）には、『再プレイ払出元設定』として貸出機内ホッパ３６ａを登録（設定）する。
【００５１】
このように、「消費税徴収設定」に『再プレイ払出元設定』を連動させることで、ＣＲユニット３０にて「補給工事」が施工済みか、或いは遊技店にて貸出機内ホッパ３６ａ分の「貯留メダル」が準備済みであるのかを正確に予測して『再プレイ払出元設定』を行うことができ、『再プレイ払出元設定』の登録（更新）を効果的に支援することが可能になる。
【００５２】
設定配信処理部１５ｃは、記憶部１４に記憶される各種設定を該当装置に配信する処理部である。例えば、記憶部１４に記憶されている「消費税徴収設定」の有効可否や『再プレイ払出元設定』をＣＲユニット３０に配信する。なお、これらの設定配信を行う時期は、設定変更が確定した時点で即時に配信してもよいし、また、設定変更が行われた翌日にＣＲユニット３０が起動された時点で配信するようにしてもよい他、任意のタイミングでこれらの設定を配信することができる。また、設定配信を行う際には、全部もしくは一部または島単位の複数のＣＲユニット３０に対して一度に配信するようにしてもよいし、各ＣＲユニット３０対して個別に配信するようにしてもよい。
【００５３】
（２）ＣＲユニットの構成
次に、本実施例１に係るＣＲユニットの構成及び機能を説明するが、ここでは、本実施例１に係るＣＲユニット３０の外観構成を説明してから内部構成を説明する。図６は、実施例１に係るＣＲユニット３０及びＣＲパチスロ機４０の外観を示した正面図である。同図に示すように、ＣＲユニット３０は、縦長の直方体型の筐体として構成したもので、その本体部前面の上寄りには、下方に向かって順に、状態表示ランプ３０１、紙幣挿入口３０２、カード状態表示ＬＥＤ３０３、リモコン受光部３０４、入金可能表示ＬＥＤ３０５が付設されている。
【００５４】
状態表示ランプ３０１は、当該ＣＲユニット３０の機器状態が警告状態にあるか否かを点灯色の切換えによって表すランプであり、例えば、「緑点灯」により警告状態にない旨を表し、「赤点灯」により警告状態にある旨を表す。また、紙幣挿入口３０２は、高額紙幣（例えば、「一万円」、「五千円」や「二千円」などの紙幣）を含む各種紙幣を挿入するための挿入口である。
【００５５】
カード状態表示ＬＥＤ３０３は、当該ＣＲユニット３０に内蔵されるプリペイドカードＰＣの補充又は回収の要否を点灯／点滅によって表すＬＥＤであり、例えば、「点灯」によりプリペイドカードＰＣの補充が必要な旨を表し、「点滅」によりプリペイドカードＰＣの回収が必要な旨を表し、また、「消灯」によりプリペイドカードＰＣの補充及び回収が不要な旨を表す。
【００５６】
リモコン受光部３０４は、リモコン（図示せず）から照射される赤外線を受光するものであり、リモコンから照射される赤外線を通じてＣＲユニット３０に対する各種操作（例えば、プリペイドカードＰＣの補充操作及び回収操作など）を受け付ける。
【００５７】
入金可能表示ＬＥＤ３０５は、当該ＣＲユニット３０に紙幣の入金が可能であるか否かを点灯／点滅／消灯によって表すＬＥＤであり、例えば、「点灯」により紙幣の入金が可能である旨を表し、また、「点滅」により入金可能紙幣に制限があることを表し、「消灯」により紙幣の入金が不可能な旨を表す。
【００５８】
また、本体部前面の中央部には、７ＳＥＧ表示部３０６、モード表示ＬＥＤ３０７、操作ボタン群３０８、プリペイドカードＰＣや会員カードＭＣなどの各種カードを挿入するカード挿入口３０９が設けられている。
【００５９】
７ＳＥＧ表示部３０６は、７セグメントのＬＥＤから形成される表示部であり、当該ＣＲユニット３０のランニング表示を行うものである。例えば、挿入紙幣の金額、プリペイドカードＰＣの残度数、貯メダル数、再プレイ回数やポイントを表示したり、或いは、専用のリモコンによってプリペイドカードＰＣの補充操作又は回収操作が行われている場合には、補充すべき枚数又は回収すべき枚数を表示したりする。
【００６０】
モード表示部３０７は、７ＳＥＧ表示部３０６にてどのモードの情報が表示されているかを表示するものである。例えば、「残度数」、「貯メダル数」、「再プレイ回数」または「ポイント」のうちいずれの情報を７ＳＥＧ表示部３０６に表示しているかを該当ランプを点灯させることで表す。
【００６１】
操作ボタン群３０８は、遊技客による入力操作で各種コマンドを受け付けるボタン群である。例えば、テンキーの押下操作により会員認証を行うための暗証番号の入力を受け付けたり、再Ｐ（再プレイ）ボタンの押下操作により再プレイ要求を受け付けたり、また、貸出ボタンの押下操作によりメダル貸し要求を受け付けたりする。なお、本実施例１では、ＣＲパチスロ機４０においても、ＣＲユニット３０に挿入中のプリペイドカードＰＣの残度数を表示する残度数表示部５０１、メダル貸し要求を受け付ける貸出ボタン５０２及びプリペイドカードＰＣの返却要求を受け付ける返却ボタン５０３が設けられている。
【００６２】
さらに、本体部前面の下寄りには、ＣＲユニット３０の内部に設けられた貸出機内ホッパ３６ａ内に貯留したメダルを払い出す際に、かかるメダルをＣＲパチスロ機４０の受け皿４０１に導入するためのノズル３１０が付設されている。
【００６３】
続いて、図６に示したＣＲユニット３０の内部構成について説明する。図７は、図６に示したＣＲユニット３０の内部構成を示す機能ブロック図である。同図に示すように、このＣＲユニット３０は、操作部３１と、表示部３２と、ＩＦ部３３と、ＢＶユニット部３４と、カードリーダ（Ｃ／Ｒ）３５ａと、カード収納部３５ｂと、搬送／繰出機構部３５ｃと、貸出機内ホッパ３６ａと、ホッパ駆動部３６ｂと、記憶部３７と、制御部３８とを備える。
【００６４】
操作部３１は、図６に示した操作ボタン群３０８の総称である。また、表示部３２は、状態表示ランプ３０１、カード状態表示ＬＥＤ３０３、入金可能表示ＬＥＤ３０５、７ＳＥＧ表示部３０６及びモード表示ＬＥＤ３０７などの総称である。
【００６５】
ＩＦ部３３は、当該ＣＲユニット３０と他の装置（例えば、会員管理Ｔ／Ｃ１０、島コントローラ２０、ＣＲパチスロ機４０及びプリペイドカード管理Ｔ／Ｃ７０などの装置）の間で各種通信の制御を行う処理部である。
【００６６】
ＢＶユニット部３４は、紙幣挿入口３０２に挿入された紙幣の金種を識別する紙幣識別機であり、識別した挿入紙幣の金種を制御部３８に出力する。なお、挿入紙幣が偽造紙幣である場合には、当該紙幣を返却する。
【００６７】
カードリーダ（Ｃ／Ｒ）３５ａは、カード挿入口３０９に挿入されたプリペイドカードＰＣや会員カードＭＣなどの各種カードに記録された情報を読み込むカードリーダである。具体的には、これら各種カードからプリペイドカードＰＣのプリペイドカードＩＤや会員カードＭＣの会員ＩＤを読み込み、該読み込んだ情報を制御部３８に出力する。
【００６８】
カード収納部３５ｂは、残度数が価値付けられていないプリペイドカードＰＣを収納する収納部であり、遊技客がプリペイドカードＰＣを持参していなくとも現金により遊技可能にするため、事前に複数枚のプリペイドカードＰＣを収納したものである。例えば、遊技客によって紙幣が挿入されると、複数枚のプリペイドカードのうちの一枚がＣ／Ｒ３５ａの位置に繰り出され、現金による度数価値付けの対象とされる。
【００６９】
搬送／繰出機構部３５ｃは、各種カードの搬送／繰出を行う機構部である。具体的には、カード挿入口３０９から挿入されたプリペイドカードＰＣをＣ／Ｒ３５ａ及びカード収納部３５ｂに搬送したり、また、カード収納部３５ｂに収納された内蔵プリペイドカードをＣ／Ｒ３５ａ及びカード挿入口３０９に繰り出したりする。
【００７０】
ホッパ駆動部３６ｂは、メダル貸し処理部３８ａからのメダル投出指示に応答して、内部にメダルを貯留する貸出機内ホッパ３６ａから指示分のメダルを投出するように貸出機内ホッパ３６ａを駆動制御する処理部である。
【００７１】
記憶部３７は、制御部３８による各種処理に必要なデータおよびプログラムを格納する格納手段（記憶手段）であり、本発明に関連するものとしては、消費税徴収設定情報３７ａ及び再プレイ払出元設定情報３７ｂを記憶している。なお、これらの設定情報は、会員管理Ｔ／Ｃ１０における設定配信処理部１５ｃにより配信されたものが記憶されている。
【００７２】
制御部３８は、ＣＲユニット３０の全体制御を司る制御部であり、特に本発明に関連するものとしては、メダル貸し処理部３８ａ及び再プレイ処理部３８ｂを備える。
【００７３】
このうち、メダル貸し処理部３８ａは、遊技客によるメダル貸し操作に応答して貸メダルの払出し制御を行う処理部である。具体的には、操作ボタン群３０８における貸出ボタンまたはＣＲパチスロ機４０に付設されている貸出ボタン５０２の押下操作を受け付けた場合に、挿入中のプリペイドカードＰＣの残度数を減算して貸メダルの払出し制御を行うが、記憶部３７に記憶されている消費税徴収設定情報３７ａ、すなわち「消費税徴収設定」の有効可否に応じて払出し態様を変化させる。
【００７４】
すなわち、ＣＲパチスロ機４０及びＣＲユニット３０間のインターフェースでは、メダル貸し処理部３８ａからの１度のメダル投出指示に対してＣＲパチスロ機４０が一定個数の投出を行うように規定されており、メダル貸しの際には、全貸出数に相当する回数のメダル投出指示をＣＲパチスロ機４０に行うことによってパチスロ機内ホッパ４１から貸メダルを投出させることを基本としている。なお、本実施例１では、ＣＲユニット３０による１度のメダル投出指示に対して１度数分に対応する「５枚」を払出すように規定されている例を説明する。
【００７５】
ここで、上記した「消費税対応」が取られていない場合、すなわち「消費税徴収設定」が有効でない場合には、貸出数が必ず規定単位「５枚」の倍数になるので、すべての貸メダルをＣＲパチスロ機４０から払い出させることができるが、「消費税対応」が取られている場合、すなわち「消費税徴収設定」が有効である場合には、図５に示す例のように規定単位「５枚」の倍数である元の貸出数「５０枚」から消費税として「１枚」のメダルが徴収されて貸出数が「４９枚」となり、貸出数が規定単位「５枚」の倍数にならなくなるので、このような場合には、全貸玉数「４９枚」のうち、規定単位「５枚」の倍数である「４５枚」を投出させるようにメダル投出指示をＣＲパチスロ機４０に行う一方で、かかる規定に拘束されないメダル貸し処理部３８ａではホッパ駆動部３６ｂに貸出機内ホッパ３６ａから残りの「４枚」を投出するように駆動制御させる。
【００７６】
再プレイ処理部３８ｂは、遊技客による再プレイ操作に応答して貯メダルの払出し制御を行う処理部である。具体的には、操作ボタン群３０８における再Ｐ（再プレイ）ボタンの押下操作を受け付けた場合に、挿入中の会員カードＭＣの貯メダル残高を減算して貯メダルの払出し制御を行うが、記憶部３７に記憶されている再プレイ払出元設定情報３７ｂ、すなわち『再プレイ払出元設定』に応じて払出し態様を変化させる。
【００７７】
より具体的には、「消費税徴収設定」が有効である場合には、会員管理Ｔ／Ｃ１０における再プレイ払出元設定登録部１５ｂ及び設定配信処理部１５ｃによって『再プレイ払出元設定』として貸出機内ホッパ３６ａが記憶部３７に登録（設定）されているので、ホッパ駆動部３６ｂを駆動させて貸出機内ホッパ３６ａから貯メダルを投出させる「第１の貯メダル払出し処理」を行う、一方、「消費税徴収設定」が有効でない場合には、『再プレイ払出元設定』としてパチスロ機内ホッパ４１が記憶部３７に登録（設定）されているので、ＣＲパチスロ機４０に対してメダル投出指示を行い、パチスロ機内ホッパ４１から貯メダルを投出させる「第２の貯メダル払出し処理」を行う。なお、本実施例１では、１度の再プレイ操作で引き落とされる貯メダルの引落し単位を貸メダルの貸出単位と同様の「５０枚」とする例を説明するが、ＣＲユニット３０及びＣＲパチスロ機４０間のインターフェースで規定された規定単位の倍数であれば、貯メダルの引落し単位は任意の枚数でかまわない。
【００７８】
このように、「消費税徴収設定」に『再プレイ払出元設定』を連動させ、「消費税徴収設定」が有効でない場合には、貸メダル及び貯メダルの払出しをパチスロ機内ホッパ４１に集約することで、ＣＲユニット３０からメダルが供給されることがなくなり、パチスロ機内ホッパ４１から貯メダルとして払い出されたメダルがそのまま投入メダルとして循環することとなるので、ＣＲパチスロ機４０にてビッグボーナスやレギュラーボーナスが頻発しない限りはパチスロ機内ホッパ４１の貯留メダル量を一定に保つことができる。
【００７９】
［処理の流れ］
次に、本実施例１に係るＣＲユニット３０の各種処理の流れを説明する。なお、ここでは、会員管理Ｔ／Ｃ１０にて行われる（１）再プレイ払出元設定登録処理を説明してから、ＣＲユニット３０にて行われる（２）再プレイ基本制御処理を説明し、その後、この再プレイ基本制御処理における貯メダルの払出し制御を具体的に説明するために（３）第１の貯メダル払出し処理、並びに（４）第２の貯メダル払出し処理を説明する。
【００８０】
（１）再プレイ払出元設定登録処理
前述したように、ここでは、図８を用いて、実施例１に係る再プレイ払出元設定登録処理を説明する。図８は、実施例１に係る再プレイ払出元設定登録処理の手順を示すフローチャートである。この「再プレイ払出元設定登録処理」は、会員管理Ｔ／Ｃ１０の記憶部１４にて消費税徴収設定情報１４ｂが更新された場合に開始される処理である。
【００８１】
図８に示すように、会員管理Ｔ／Ｃ１０の記憶部１４にて消費税徴収設定情報１４ｂが更新されると（ステップＳ８０１肯定）、再プレイ払出元設定登録部１５ｂは、記憶部１４に記憶される消費税徴収設定情報１４ｂを参照して「消費税徴収設定」が有効であるか否かを判定する（ステップＳ８０２）。
【００８２】
ここで、「消費税徴収設定」が有効である場合（ステップＳ８０２肯定）には、再プレイ払出元設定登録部１５ｂは、『再プレイ払出元設定』を貸出機内ホッパ３６ａに更新し（ステップＳ８０３）、一方、「消費税徴収設定」が有効でない場合（ステップＳ８０２否定）には、『再プレイ払出元設定』をパチスロ機内ホッパ４１に更新し（ステップＳ８０４）、処理を終了する。
【００８３】
このように、再プレイ払出元設定登録部１５ｂによって「消費税徴収設定」と連動した『再プレイ払出元設定』が登録され、該登録された『再プレイ払出元設定』が設定配信処理部１５ｃによってＣＲユニット３０に配信されることになる。
【００８４】
（２）再プレイ基本制御処理
次に、図９を用いて、実施例１に係る再プレイ基本制御処理を説明する。図９は、実施例１に係る再プレイ基本制御処理の手順を示すフローチャートである。この「再プレイ基本制御処理」は、ＣＲユニット３０のカード挿入口３０９に会員カードＭＣが挿入された場合に行われる処理である。
【００８５】
図９に示すように、会員カードＭＣが挿入されると（ステップＳ９０１肯定）、再プレイ処理部３８ｂは、挿入された会員カードＭＣの会員ＩＤに対応する貯メダル残高を会員管理Ｔ／Ｃ１０に問合せ（ステップＳ９０２）、この問合せにより得られた貯メダル残高を表示部３２（７ＳＥＧ表示部３０６）にて表示させる（ステップＳ９０３）。
【００８６】
そして、遊技客による再プレイ操作、例えば操作ボタン群３０８における再Ｐ（再プレイ）ボタンの押下操作を受け付けた場合（ステップＳ９０４肯定）に、再プレイ処理部３８ｂは、会員カードＭＣの会員ＩＤを含む貯メダル残高の減算依頼を会員管理Ｔ／Ｃ１０に行う（ステップＳ９０５）。なお、ここでは、すでに説明したように、会員管理Ｔ／Ｃ１０に対して貯メダルの引落し単位「５０枚」を現貯メダル残高から減算するように依頼される。
【００８７】
このとき、会員管理Ｔ／Ｃ１０の貯メダル管理部１５ａから貯メダル残高の減算依頼に対して減算完了応答が得られた場合（ステップＳ９０６肯定）に、再プレイ処理部３８ｂは、記憶部３７に記憶されている再プレイ払出元設定情報３７ｂを参照して、『再プレイ払出元設定』が貸出機内ホッパ３６ａであるか否かを判定する（ステップＳ９０７）。なお、貯メダル管理部１５ａから減算完了応答が得られない場合（ステップＳ９０６否定）には、遊技客による再プレイ操作は無効となるが、その際に貯メダル残高が不足している等の引落しＮＧ報知を表示部３２にて行うようにしてもよい。また、本実施例１では、再プレイ操作が行われると貯メダル残高の多寡を問わず、会員管理Ｔ／Ｃ１０に貯メダル残高の減算依頼を行うこととしたが、必ずしも行う必要はなく、例えば貯メダル残高が「０」もしくは所定値以下であれば、操作ボタン群３０８の再Ｐ（再プレイ）ボタンを無効化するようにしてもよい。
【００８８】
ここで、『再プレイ払出元設定』が貸出機内ホッパ３６ａである場合（ステップＳ９０７肯定）には、再プレイ処理部３８ｂは、ホッパ駆動部３６ｂを駆動させて貸出機内ホッパ３６ａから貯メダルを投出させる「第１の貯メダル払出し処理」を行い（ステップＳ９０８）、再Ｐ（再プレイ）ボタンの押下操作が押下されるのを待機する再プレイ操作受付待機状態に移行する（ステップＳ９０４）。
【００８９】
一方、『再プレイ払出元設定』がパチスロ機内ホッパ４１である場合（ステップＳ９０７否定）には、再プレイ処理部３８ｂは、ＣＲパチスロ機４０に対してメダル投出指示を行い、パチスロ機内ホッパ４１から貯メダルを投出させる「第２の貯メダル払出し処理」を行い（ステップＳ９０９）、再Ｐ（再プレイ）ボタンの押下操作が押下されるのを待機する再プレイ操作受付待機状態に移行する（ステップＳ９０４）。
【００９０】
なお、操作ボタン群３０８におけるカード返却ボタンの押下操作を受け付けるまでは（ステップＳ９１０否定）、上記したステップＳ９０４〜ステップＳ９０９の処理を繰り返し行い、カード返却ボタンの押下操作を受け付けたならば（ステップＳ９１０肯定）、搬送／繰出機構部３５ｃに会員カードＭＣをカード挿入口３０９に繰り出させ（ステップＳ９１１）、処理を終了する。
【００９１】
（３）第１の貯メダル払出し処理
続いて、図１０を用いて、実施例１に係る第１の貯メダル払出し処理を説明する。図１０は、実施例１に係る第１の貯メダル払出し処理の手順を示すフローチャートである。この「第１の貯メダル払出し処理」は、上述した「再プレイ基本制御処理」にて『再プレイ払出元設定』が貸出機内ホッパ３６ａであると判定された場合（テップＳ９０７肯定）に行われる処理である。
【００９２】
図１０に示すように、再プレイ処理部３８ｂは、会員管理Ｔ／Ｃ１０の貯メダル管理部１５ａにより貯メダル残高が減算されているので、ホッパ駆動部３６ｂを駆動させて貸出機内ホッパ３６ａから減算分の貯メダル投出を開始し（ステップＳ１００１）、貸出機内ホッパ３６ａからの貯メダル投出に連動して７ＳＥＧ表示部３０６における貯メダル残高表示を更新する（ステップＳ１００２）。
【００９３】
そして、再プレイ処理部３８ｂは、貸出機内ホッパ３６ａがエンプティ状態でないことを確認しながら（ステップＳ１００４否定）、規定数（例えば、「５０枚」）の投出を終えるまで（ステップＳ１００３肯定）、上記したステップＳ１００１及びステップＳ１００２、すなわち貸出機内ホッパ３６ａからのメダル投出制御並びに貯メダル残高表示の更新を繰り返し行う。
【００９４】
なお、規定数「５０枚」の投出を終える前に貸出機内ホッパ３６ａの貯留メダルがなくなり、貸出機内ホッパ３６ａがエンプティ状態に陥ったならば（ステップＳ１００４肯定）、再プレイ処理部３８ｂは、メダルの補充を要する旨を報知し（ステップＳ１００５）、貸出機内ホッパ３６ａにメダルが補充された後（ステップＳ１００６肯定）に、規定数「５０枚」の投出を終えるまで（ステップＳ１００３肯定）、上記したステップＳ１００１及びステップＳ１００２、すなわち貸出機内ホッパ３６ａからのメダル投出制御並びに貯メダル残高表示の更新を繰り返し行う。
【００９５】
（４）第２の貯メダル払出し処理
次に、図１１を用いて、実施例１に係る第２の貯メダル払出し処理を説明する。図１１は、実施例１に係る第２の貯メダル払出し処理の手順を示すフローチャートである。この「第２のメダル貸し処理」は、上述した「再プレイ基本制御処理」にて『再プレイ払出元設定』がパチスロ機内ホッパ４１であると判定された場合（ステップＳ９０７否定）に行われる処理である。
【００９６】
図１１に示すように、再プレイ処理部３８ｂは、ＣＲパチスロ機４０に対してメダル投出指示を行う（ステップＳ１１０１）。なお、このメダル投出指示を受け付けたＣＲパチスロ機４０では、パチスロ機内ホッパ４１を通じて所定枚数（例えば、「５枚」）分のメダルの投出を行い、正常にメダルの投出が完了した場合に、メダル投出完了通知をＣＲユニット３０に返信する。
【００９７】
ここで、かかるメダル投出指示を行ってから所定期間（例えば「１０秒」）以内に応答が得られた場合（ステップＳ１１０２肯定）には、再プレイ処理部３８ｂは、７ＳＥＧ表示部３０６に表示される貯メダル残高を減算表示する更新を行い（ステップＳ１１０３）、規定数（例えば、「５０枚」）分のメダル貸しが終了するまで（ステップＳ１１０４肯定）、上記したステップＳ１１０１〜ステップＳ１１０３の処理を繰り返し行う。なお、所定期間（例えば、「１０秒」）以内にＣＲパチスロ機４０から応答が得られない場合（ステップＳ１１０２否定）には、再プレイ処理部３８ｂは、メダル投出完了通知が得られるまで（ステップＳ１１０２肯定）、メダル投出指示の送信（ステップＳ１１０１）を繰り返す。
【００９８】
上述してきたように、本実施例１に係るＣＲユニット３０によれば、貯メダルの払出元がパチスロ機ホッパ４１もしくは貸出機内ホッパ３６ａのいずれであるかを示す『再プレイ払出元設定』を記憶し、該記憶した『再プレイ払出元設定』がパチスロ機内ホッパ４１である場合には、ＣＲパチスロ機４０に対して貯メダルを払い出すように指示し、『再プレイ払出元設定』が貸出機内ホッパ３６ａである場合には、貸出機内ホッパ３６ａから貯メダルを払い出すように制御するように構成したので、例えば「消費税対応」が実行される時点まで貸出機内ホッパ３６ａの使用を凍結すれば、導入当初に必要のない設備投資（例えば、「補給工事」の施工費用や「貯留メダル」の購入費用など）を実際に消費税対応が取られるまで猶予することができ、遊技店設備の初期投資費用を低減させることが可能である。
【００９９】
さらに、本実施例１に係るＣＲユニット３０によれば、「消費税徴収設定」が有効である場合には、『再プレイ払出元設定』として貸出機内ホッパ３６ａを登録し、「消費税徴収設定」が有効でない場合には、『再プレイ払出元設定』としてパチスロ機内ホッパ４１を登録するように構成したので、ＣＲユニット３０にて「補給工事」が施工済みか、或いは遊技店にて貸出機内ホッパ３６ａ分の「貯留メダル」が準備済みであるのかを正確に予測して『再プレイ払出元設定』を行うことができ、『再プレイ払出元設定』の登録（更新）を効果的に支援することが可能である。
【０１００】
また、本実施例１に係る会員管理Ｔ／Ｃ１０によれば、記憶管理している『再プレイ払出元設定』を複数のＣＲユニット３０に配信するように構成したので、『再プレイ払出元設定』の設定反映を複数のＣＲユニット３０に一括して行わせることが可能である。
【実施例２】
【０１０１】
さて、これまで本発明の実施例について説明したが、本発明は上述した実施例以外にも、種々の異なる形態にて実施されてよいものである。そこで、以下では、本発明に含まれる他の実施例を説明する。
【０１０２】
例えば、上記した実施例１では、会員管理Ｔ／Ｃ１０にて『再プレイ払出元設定』の登録を行う例を説明したが、本発明はこれに限定されるものではなく、ＣＲユニット３０にて行わせるようにしてもよい。例えば、ＣＲユニット３０にて「消費税徴収設定」の更新を検知させ、「消費税徴収設定」の有効可否に応じて『再プレイ払出元設定』を自動的に更新させるようにしてもよいし、また、「貸出機内ホッパ」または「パチスロ機内ホッパ」を表す『再プレイ払出元設定』の切替スイッチを設けるようにしてもよい。
【０１０３】
また、上記した実施例１では、「消費税徴収設定」が有効であるか否かによって『再プレイ払出元設定』の登録を行う実施例を説明したが、本発明はこれに限定されるものではない。例えば、ＣＲユニット３０の背面外部に設けられるメダル補給機構と貸出機内ホッパ３６ａとの接続を検知するようにし、メダル補給機構と貸出機内ホッパ３６ａとの接続を検知している場合には、『再プレイ貸出し払出元設定』として貸出機内ホッパ３６ａを登録し、メダル補給機構と貸出機内ホッパ３６ａとの接続を検知していない場合には、『再プレイ払出元設定』としてパチスロ機内ホッパ４１を登録するように会員管理Ｔ／Ｃ１０もしくはＣＲユニット３０を構成する。
【０１０４】
このように、会員管理Ｔ／Ｃ１０もしくはＣＲユニット３０を構成すれば、実施例１と同様、ＣＲユニット３０にて「補給工事」が施工済みか、或いは遊技店にて貸出機内ホッパ３６ａ分の「貯留メダル」が準備済みであるのかを正確に予測して『再プレイ払出元設定』を行うことができ、『再プレイ払出元設定』の登録（更新）を効果的に支援することが可能になる。
【０１０５】
また、本発明では、『再プレイ払出元設定』がパチスロ機内ホッパ４１に設定されている場合には、ＣＲユニット３０からメダルを投出する必要はないので、ニアエンプティ状態またはエンプティ状態、ホッパ詰まりなどＣＲユニット３０の各種投出に関するエラー検知もしくはエラー検知したとしてもそのエラーの報知を禁止するようにしてもよい。このように、『再プレイ払出元設定』がパチスロ機内ホッパ４１に設定されている場合にＣＲユニット３０の各種投出に関するエラー報知を禁止することで、係員対応の不要なエラーを報知することがなくなり、まぎらわしい報知を行うことを防止することができる。
【０１０６】
さらに、本発明では、パチスロ機内ホッパ４１がニアエンプティ状態またはエンプティ状態になることを防止するために、パチスロ機内ホッパ４１の貯留メダル残量をＣＲユニット３０にて監視し、その残量がニアエンプティ＋所定量またはエンプティ＋所定量である場合に、『再プレイ払出元設定』がパチスロ機内ホッパ４１であっても、貸出機内ホッパ３６ａから貯メダルを投出させるようにしてもよい。
【０１０７】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１０８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１０９】
以上のように、本発明に係る遊技媒体貸出装置、貯遊技媒体管理システム及び遊技媒体貸出方法は、導入当初に必要のない設備投資を実際に消費税対応が取られるまで猶予し、もって遊技店設備の初期投資費用を低減させることができる遊技媒体貸出装置、貯遊技媒体管理システム及び遊技媒体貸出方法に適している。
【図面の簡単な説明】
【０１１０】
【図１】実施例１に係る遊技システムのシステム構成を示すシステム構成図である。
【図２】実施例１に係るＣＲユニットの特徴を説明するための概念図である。
【図３】実施例１に係る会員管理Ｔ／Ｃ１０の構成を示す機能ブロック図である。
【図４】記憶部１４に記憶される貯メダル管理情報１４ａの一例を示す図である。
【図５】記憶部１４に記憶される消費税徴収設定情報１４ｂの一例を示す図である。
【図６】実施例１に係るＣＲユニット３０及びＣＲパチスロ機４０の外観を示した正面図である。
【図７】図６に示したＣＲユニット３０の内部構成を示す機能ブロック図である。
【図８】実施例１に係る再プレイ払出元設定登録処理の手順を示すフローチャートである。
【図９】実施例１に係る再プレイ基本制御処理の手順を示すフローチャートである。
【図１０】実施例１に係る第１の貯メダル払出し処理の手順を示すフローチャートである。
【図１１】実施例１に係る第２の貯メダル払出し処理の手順を示すフローチャートである。
【符号の説明】
【０１１１】
１    遊技システム
１０    会員管理Ｔ／Ｃ
１１    入力部
１２    出力部
１３    通信制御ＩＦ部
１４    記憶部
１５    制御部
１５ａ  貯メダル管理部
１５ｂ  再プレイ払出元設定登録部
１５ｃ  設定配信処理部
２０    島コントローラ
３０    ＣＲユニット
３１    操作部
３２    表示部
３３    ＩＦ部
３４    ＢＶユニット部
３５ａ  カードリーダ（Ｃ／Ｒ）
３５ｂ  カード収納部
３５ｃ  搬送／繰出機構部
３６ａ  貸出機内ホッパ
３６ｂ  ホッパ駆動部
３７    記憶部
３８    制御部
３８ａ  メダル貸し処理部
３８ｂ  再プレイ処理部
４０    ＣＲパチスロ機
４１    パチスロ機内ホッパ
４２    ＩＦ部
５０    貸出操作装置
６０    カード発行機
【図１】
2008229273.tif 000003
【図２】
2008229273.tif 000004
【図３】
2008229273.tif 000005
【図４】
2008229273.tif 000006
【図５】
2008229273.tif 000007
【図６】
2008229273.tif 000008
【図７】
2008229273.tif 000009
【図８】
2008229273.tif 000010
【図９】
2008229273.tif 000011
【図１０】
2008229273.tif 000012
【図１１】
2008229273.tif 000013